(57)【要約】【課題】  遊技領域内の設計の自由度を下げずに、表示画像の視認性やゲーム性を向上できると共に、デモ図柄画像等、種々の画像を表示でき、更に針金材による不正行為を防止できるパチンコ機を提供する。【解決手段】  デモ図柄画像及びこれ以外の任意の画像を表示可能な大形の画像表示装置４６を遊技領域２５外で正面側から見て遊技領域と重ならない位置に設けて、表示画像の視認性やゲーム性を高めると同時に遊技領域の視認性を高めた。画像表示装置４６が種々の画像を表示することにより特別図柄表示装置３８を小形化し、遊技領域２５内での自由設計領域を広げた。遊技領域２５と重ならない位置として遊技盤１４下部を選定し、針金材の挿入による不正行為を防止できるようにした。【選択図】        図１
2006158533.tif 000002
【特許請求の範囲】
【請求項１】
遊技に係る任意の演出用画像及びこの画像以外の任意の画像を表示可能な画像表示装置が、遊技盤の盤面に設定された遊技領域の外方であって、遊技領域正面側から見てその遊技領域と重ならない位置に設けられ、この位置が前記遊技盤とは別個独立のパチンコ機構造部材上で、かつ前記遊技領域の下部とされていることを特徴とするパチンコ機。
【請求項２】
請求項１に記載のパチンコ機において、特別図柄始動入賞口と、この特別図柄始動入賞口への遊技球の入賞に応じて行われる大当たり又は外れの抽選の結果を、その抽選に応じて行われる特別図柄の変動表示後の停止図柄の種類によって報知する特別図柄表示装置と、この特別図柄表示装置によって報知される抽選の結果が大当たりである場合に、その報知に応じて開放する大入賞口とが、遊技領域の内方に設けられたことを特徴とするパチンコ機。
【請求項３】
請求項１又は２に記載のパチンコ機において、画像表示装置を遊技盤とは別個独立のパチンコ機構造部材にパチンコ機正面側から取付固定するための正面作業形取付構造を具備することを特徴とするパチンコ機。
【請求項４】
請求項１又は２に記載のパチンコ機において、画像表示装置を遊技盤とは別個独立のパチンコ機構造部材にパチンコ機背面側から取付固定するための背面作業形取付構造を具備することを特徴とするパチンコ機。
【請求項５】
請求項１、２、３又は４に記載のパチンコ機において、遊技盤とは別個独立のパチンコ機構造部材は、パチンコ機外枠に支持され、遊技盤が取り付けられた状態で正面側が前扉で開閉される内枠であることを特徴とするパチンコ機。
【請求項６】
請求項５に記載のパチンコ機において、遊技盤及び画像表示装置は、各正面側が共通の前扉によって開閉されることを特徴とするパチンコ機。
【請求項７】
請求項５に記載のパチンコ機において、前扉は上前扉と下前扉に分離して構成され、遊技盤の正面側が前記上前扉によって、画像表示装置の正面側が前記下前扉によって、各々開閉されることを特徴とするパチンコ機。
【請求項８】
請求項１〜７のいずれかに記載のパチンコ機において、画像表示装置は、遊技盤の下方に設けられた球発射装置からの遊技球を遊技領域の入口まで案内する発射通路の始端部分の側方に配設されたことを特徴とするパチンコ機。
【請求項９】
請求項１〜７のいずれかに記載のパチンコ機において、画像表示装置は、遊技盤の下方に設けられた球発射装置からの遊技球を遊技領域の入口まで案内する発射通路の配置面位置よりも、パチンコ機正面側に寄った位置に配設されたことを特徴とするパチンコ機。
【請求項１０】
請求項１〜９のいずれかに記載のパチンコ機において、遊技領域の内方に設けられた入賞口及びアウト口に入球した遊技球を下方に排出するために遊技盤の背面に設けられた球排出通路体が、画像表示装置の背面側を通って下方に延出されていることを特徴とするパチンコ機。
【請求項１１】
請求項１〜９のいずれかに記載のパチンコ機において、遊技領域の内方に設けられた入賞口及びアウト口に入球した遊技球を下方に排出するために遊技盤の背面に設けられた球排出通路体が、画像表示装置の側方を通って下方に延出されていることを特徴とするパチンコ機。
【請求項１２】
請求項１〜１１のいずれかに記載のパチンコ機において、画像表示装置は効果音出力用のスピーカを一体に備えることを特徴とするパチンコ機。
【発明の詳細な説明】
【技術分野】
【０００１】
本発明は、比較的大形の画像表示装置を備えるパチンコ機に関するものである。
【背景技術】
【０００２】
近年、パチンコ機の液晶パネル等を利用した画像表示装置は、表示画像の視認性やゲームの演出効果、つまりゲーム性を高めるために大形化しつつある。最近では、本来の特別図柄に加え、それ以上に大きく派手やかなデモ図柄等の演出画像が表示される傾向が強まり、この画像表示装置の大形化は一層顕著になっている。
【０００３】
しかし、パチンコ機の遊技盤の盤面に設定された遊技領域の広さが余り変わらない以上、その遊技領域内のほぼ中央部に配置する上記画像表示装置が大きくなると、遊技領域内に配置可能な遊技釘数や遊技球通路の減少は避けられない。このため、遊技釘数や遊技球通路の設計の自由度が狭まり、遊技領域を流下する遊技球の動きが単調になりやすく、遊技の面白みを低下させる。
そこで本出願人は、大画面の画像表示装置を遊技領域外に設けたパチンコ機を提案した（特許文献１参照）。
これは、遊技領域内の特別図柄表示装置の表示画像と連動した画像を表示する画像表示装置を遊技領域外に設けたパチンコ機である。
【特許文献１】特開２００３−１３５８２７号公報
【発明の開示】
【発明が解決しようとする課題】
【０００４】
特許文献１に開示されたパチンコ機によれば、遊技領域外に大画面の画像表示装置を設けたので、表示画像の視認性やゲーム性の向上を図りつつ、遊技領域内の遊技釘数や遊技球通路の設計自由度の減少を回避できる点で優れているが、以下の点で改善の余地があった。
すなわち、上記大画面の画像表示装置は、パチンコ機の台間基台やパチンコ機本体に取り付けられるが、いずれにしてもこの画像表示装置は、大画面である限り、また隣接するパチンコ機側に突き出ないようにする限り、自パチンコ機（特定の画像表示装置と対をなすパチンコ機）の遊技領域に重なる、つまり遊技者から見て遊技領域の一部が隠蔽されてしまう。
したがって、この画像表示装置の表示画像の視認性は向上しても、遊技領域全体が見渡せなくなり、大画面の画像表示装置は、遊技者にとって、遊技領域全体を見るには邪魔な存在、あるいは上記の隠蔽された遊技領域部分における遊技球の動きに疑いを生じさせかねない存在となる虞もあった。
【０００５】
また、この画像表示装置の更なる大画面化、特にパチンコ機左右方向の大画面化において限界が生じやすく、この左右方向の寸法を拡大する設計の自由度が狭かった。
更にこの画像表示装置は、パチンコ機の台間基台やパチンコ機本体に取り付けられる構成であり、前者（台間基台への取付）によればパチンコ機からは分離しており、また後者（パチンコ機への取付）においてはパチンコ機本体とは一体ではあるがパチンコ機正面から突き出る構成である。
このため、前者によれば、出荷先においてパチンコ機設置後に、画像表示装置の台間基台への取付け作業やパチンコ機への配線作業が必要となった。また後者によれば、パチンコ機の出荷先への搬送のための梱包や取扱いが面倒になり、これを避けるためにパチンコ機から外した状態で梱包、搬送し、出荷先で取り付けることにすれば、前者と同様に、画像表示装置への取付け作業やパチンコ機への配線作業が必要となった。
【０００６】
また、多量の賞球を取得可能となる大当たりの予告やリーチ等の演出用の図柄、画像、あるいは大当たり画像が、遊技者が知り得ないパチンコ機内部における条件分けによって、遊技領域内の特別図柄表示装置で表示されたり、遊技領域外の画像表示装置で表示されたりしていた。このため、大当たりか外れかの報知（表示）が遊技者にとって分かりにくかった。
更に、遊技領域下方からのピアノ線等の挿入による不正行為に対して配慮されていなかった。
【０００７】
本発明は、上記のような実情に鑑みなされたもので、遊技等に必要な画像表示において、遊技領域内の遊技釘数や遊技球通路の設計の自由度を減少させることなく、表示画像の視認性やゲーム性の向上が図れ、特にパチンコ機左右方向における画像表示装置の大画面化が遊技釘数や遊技球通路の設計の自由度を減少させることなく可能となり、また、遊技者から見て遊技領域の一部が隠蔽されることがなく、更に、出荷先への梱包や搬送、出荷先での設置作業の簡易化も可能となり、加えて、ピアノ線等の針金材を用いた不正を防止できるパチンコ機を提供することを目的とする。
【課題を解決するための手段】
【０００８】
上記目的を達成するために、特許請求の範囲の請求項１に記載のパチンコ機は、遊技に係る任意の演出用画像及びこの画像以外の任意の画像を表示可能な画像表示装置が、遊技盤の盤面に設定された遊技領域の外方であって、遊技領域正面側から見てその遊技領域と重ならない位置に設けられ、この位置が前記遊技盤とは別個独立のパチンコ機構造部材上で、かつ前記遊技領域の下部とされていることを特徴とする。
【０００９】
特許請求の範囲の請求項２に記載の発明は、上記請求項１に記載のパチンコ機において、特別図柄始動入賞口と、この特別図柄始動入賞口への遊技球の入賞に応じて行われる大当たり又は外れの抽選の結果を、その抽選に応じて行われる特別図柄の変動表示後の停止図柄の種類によって報知する特別図柄表示装置と、この特別図柄表示装置によって報知される抽選の結果が大当たりである場合に、その報知に応じて開放する大入賞口とが、遊技領域の内方に設けられたことを特徴とする。
【００１０】
特許請求の範囲の請求項３に記載の発明は、上記請求項１又は２に記載のパチンコ機において、画像表示装置を遊技盤とは別個独立のパチンコ機構造部材にパチンコ機正面側から取付固定するための正面作業形取付構造を具備することを特徴とする。
【００１１】
特許請求の範囲の請求項４に記載の発明は、上記請求項１又は２に記載のパチンコ機において、画像表示装置を遊技盤とは別個独立のパチンコ機構造部材にパチンコ機背面側から取付固定するための背面作業形取付構造を具備することを特徴とする。
【００１２】
特許請求の範囲の請求項５に記載の発明は、上記請求項１、２、３又は４に記載のパチンコ機において、遊技盤とは別個独立のパチンコ機構造部材は、パチンコ機外枠に支持され、遊技盤が取り付けられた状態で正面側が前扉で開閉される内枠であることを特徴とする。
【００１３】
特許請求の範囲の請求項６に記載の発明は、上記請求項５に記載のパチンコ機において、遊技盤及び画像表示装置は、各正面側が共通の前扉によって開閉されることを特徴とする。
【００１４】
特許請求の範囲の請求項７に記載の発明は、上記請求項５に記載のパチンコ機において、前扉は上前扉と下前扉に分離して構成され、遊技盤の正面側が前記上前扉によって、画像表示装置の正面側が前記下前扉によって、各々開閉されることを特徴とする。
【００１５】
特許請求の範囲の請求項８に記載の発明は、上記請求項１〜７のいずれかに記載のパチンコ機において、画像表示装置は、遊技盤の下方に設けられた球発射装置からの遊技球を遊技領域の入口まで案内する発射通路の始端部分の側方に配設されたことを特徴とする。
【００１６】
特許請求の範囲の請求項９に記載の発明は、上記請求項１〜７のいずれかに記載のパチンコ機において、画像表示装置は、遊技盤の下方に設けられた球発射装置からの遊技球を遊技領域の入口まで案内する発射通路の配置面位置よりも、パチンコ機正面側に寄った位置に配設されたことを特徴とする。
【００１７】
特許請求の範囲の請求項１０に記載の発明は、上記請求項１〜９のいずれかに記載のパチンコ機において、遊技領域の内方に設けられた入賞口及びアウト口に入球した遊技球を下方に排出するために遊技盤の背面に設けられた球排出通路体が、画像表示装置の背面側を通って下方に延出されていることを特徴とする。
【００１８】
特許請求の範囲の請求項１１に記載の発明は、上記請求項１〜９のいずれかに記載のパチンコ機において、遊技領域の内方に設けられた入賞口及びアウト口に入球した遊技球を下方に排出するために遊技盤の背面に設けられた球排出通路体が、画像表示装置の側方を通って下方に延出されていることを特徴とする。
【００１９】
特許請求の範囲の請求項１２に記載の発明は、上記請求項１〜１１のいずれかに記載のパチンコ機において、画像表示装置は効果音出力用のスピーカを一体に備えることを特徴とする。
【発明の効果】
【００２０】
特許請求の範囲の請求項１に記載のパチンコ機によれば、遊技に係る任意の演出用画像及びこの画像以外の任意の画像を表示可能な画像表示装置を、遊技領域の外方（遊技領域外）に設けたので、遊技等に必要な画像表示において、遊技領域内の遊技釘数や遊技球通路の設計の自由度を減少させずに表示画像の視認性やゲーム性を向上させ得る。また、遊技盤への取付穴の穴開け作業も特別図柄表示装置が小形化される分だけ少なくなる。
【００２１】
遊技釘数や遊技球通路の設計の自由度について述べると、請求項１に記載のパチンコ機によれば、特別図柄表示装置が小形化される分だけ、あるいは遊技領域からなくなる分だけ、自由設計領域が広くなり、遊技釘数や遊技球通路の設計の自由度が増大する。あるいは、遊技領域における遊技釘数や遊技球通路の自由設計領域を特に広げる必要がなければ、遊技領域全体の広さ、換言すれば遊技盤の大きさを小さく、したがってまた軽く、製作することが可能となる。つまり遊技盤の生産性が向上し、また製作された遊技盤の保管や搬送が簡単、更には遊技盤の取付や交換作業も簡単になる。
【００２２】
また画像表示装置を、遊技領域正面側から見てその遊技領域と重ならない位置に設けたので、遊技者から見て遊技領域の一部が隠蔽されることがなく（遊技領域全域に亘って視認性が高く）、画像表示装置の存在が遊技の邪魔をしたり、遊技球の動きに疑いを生じさせることもなくなる。
画像表示装置のパチンコ機左右方向の大画面化も、最大で、パチンコ機左右方向寸法近くまで可能となり、この画像表示装置による表示画像の視認性は勿論のこと、表示画像の迫力等、演出効果も高めることも可能である。
【００２３】
加えて、上記遊技領域と重ならない位置を、遊技盤とは別個独立のパチンコ機構造部材上とした、つまり画像表示装置を、遊技盤とは別個独立のパチンコ機構造部材に設けたので、画像表示装置は遊技盤の交換、廃棄時等において何ら拘束されない。つまり、相互に自由に交換、廃棄等することが可能となる。特に遊技盤の交換時において、画像表示装置をパチンコ機構造部材側に取り付けた状態にしておけば画像表示装置の再利用が可能となり、遊技盤の交換によるパチンコ機入替えコストが低減される。
【００２４】
更に、上記遊技領域と重ならない位置を、遊技盤上の、遊技領域の下部としたので、遊技盤の下方の何れかの箇所、例えば皿ユニット部分やその周辺の隙間からピアノ線等の針金材を挿入し、遊技領域の内方（遊技領域内）の遊技領域構成部材、例えば入賞口やゲート部分に侵入して行う不正行為を防止できる。ピアノ線等が遊技領域内に侵入する初期の段階で、遊技領域の下部に設けられた画像表示装置（装置筐体部分）が上記遊技領域内への侵入の防護壁として作用するからである。
【００２５】
特許請求の範囲の請求項２に記載のパチンコ機によれば、特別図柄表示装置を備えた場合において、請求項１に記載のパチンコ機と同様の効果を奏する。
【００２６】
特許請求の範囲の請求項３に記載の発明によれば、画像表示装置を、遊技盤とは別個独立のパチンコ機構造部材にパチンコ機正面側から取付固定するための正面作業形取付構造を備えた。したがって、パチンコ機構造部材へのパチンコ機正面側からの作業でその画像表示装置の取付固定が可能となり、画像表示装置取付後、つまりパチンコ機設置後における画像表示装置の保守、交換等の作業が簡単になる。
【００２７】
特許請求の範囲の請求項４に記載の発明によれば、画像表示装置を、遊技盤とは別個独立のパチンコ機構造部材にパチンコ機背面側から取付固定するための背面作業形取付構造を備えた。したがって、パチンコ機構造部材へのパチンコ機背面側からの作業でその画像表示装置の取付固定が可能となり、そのパチンコ機構造部材背面ヘの取付部品の１つとして、他の背面取付部品と共に簡単に、つまり作業者の姿勢や組立中のパチンコ機構造部材の位置や向きを変えずに、画像表示装置の取付固定が可能となる。
【００２８】
特許請求の範囲の請求項５に記載の発明によれば、遊技盤とは別個独立のパチンコ機構造部材として、パチンコ機外枠に支持され、遊技盤が取り付けられた状態で正面側が前扉で閉じられる内枠を用いた。つまり、画像表示装置を内枠に取付固定するように構成したので、従来から使用している内枠の形状変更だけで済み、製造設備等が容易に流用可能となるという利点がある。
【００２９】
特許請求の範囲の請求項６に記載の発明によれば、遊技盤及び画像表示装置を共通の前扉によって開閉される構成としたので、前扉を構成する各部材、特にガラス窓部（ガラス板）は一組、例えば１枚で済む。
【００３０】
特許請求の範囲の請求項７に記載の発明によれば、遊技盤を上前扉によって、画像表示装置を下前扉によって各々開閉される、つまり別個独立に開閉可能に構成した。
したがって、上，下前扉のうち一方の扉が開放されるとき、他方の扉は閉じたままとなって、その扉で画像表示装置又は遊技盤が保護される。例えば、遊技盤面上で球詰まり等が生じ、その対処をする場合に上前扉のみを開ければよく、この間、画像表示装置は下前扉によって保護され続ける。
また、各扉の重量が軽くなり、各扉の開閉の頻度も少なくなり、したがって各扉を開閉可能に支持するヒンジ等の負担が減少する。更に、各扉は小型化されるので、上記重量の軽減と相俟って扉の生産性が向上するという利点がある。
【００３１】
特許請求の範囲の請求項８に記載の発明によれば、画像表示装置を発射通路の始端部分の側方に設けたので、遊技盤の盤面とほぼ同一面上に画像表示装置の表示画面を位置させることが可能となると共に、パチンコ機正背面方向の寸法（パチンコ機の厚み）の増大を抑えることができる。
【００３２】
特許請求の範囲の請求項９に記載の発明によれば、画像表示装置を、発射通路の配置面位置よりもパチンコ機正面側に寄った位置に設けたので、画像表示装置の左右方向寸法の拡大に当たって発射通路が障害とならず、画像表示装置の左右方向寸法の自由度が増す。特に、画像表示装置のパチンコ機左右方向の大画面化も、最大で、パチンコ機左右方向寸法近くまで可能となる。
【００３３】
特許請求の範囲の請求項１０に記載の発明によれば、球排出通路体を、画像表示装置の背面側を通して下方に延出させたので、画像表示装置を遊技領域の下部に設けたことと相俟って、ピアノ線等の針金材の挿入による上記不正行為をより効果的に防止することができる。
【００３４】
特許請求の範囲の請求項１１に記載の発明によれば、球排出通路体を、画像表示装置の側方を通して下方に延出させたので、パチンコ機正背面方向の寸法の増大を抑えることができる。
【００３５】
特許請求の範囲の請求項１２に記載の発明によれば、画像表示装置は効果音出力用のスピーカを一体に備えるので、部品点数の低減が図れ、また画像表示装置の取付けによって効果音出力用のスピーカも同時に取り付けられ、組立て作業性も向上する。
【発明を実施するための最良の形態】
【００３６】
以下、本発明の実施の形態を図面に基づき説明する。なお、各図間において、同一符号は同一又は相当部分を示す。
図１は本発明によるパチンコ機の第１実施形態を示す正面図、図２は図１に示すパチンコ機中の内枠部分を取り出して示す正面図、図３は図２における内枠への遊技盤及び画像表示装置の取付けを説明するための図、図４は図１中の画像表示装置の取付け位置をパチンコ機背面側から概略的に示す図、図５は図１中の外枠、内枠、前扉及び皿ユニットの取付け位置関係を概略的に示す斜視図である。
【００３７】
図１、図４及び図５に示すように、パチンコ機１は、島と呼ばれる設置場所への取り付けに用いられる外枠（パチンコ機外枠）２を備え、この外枠２の左側部には、図２及び図５に示すように、窓部３を有するほぼ額縁状の内枠４がその外枠２正面側を開閉自在に支持され、内枠４の窓部（内枠窓部）３に対応する箇所には、ガラス窓部５を有する前扉６が内枠４正面側を開閉自在に支持される。この前扉６と内枠４とは、内枠４の右側部に設けられた施錠装置７（図１，図２参照）によって施錠可能に構成されている。
【００３８】
図１に示すように、前扉６の下方には、賞球払出装置（図示せず）から賞球払出口８を通して払い出された賞球や貸球を貯留して球発射装置９へと誘導する球皿１０を備える皿ユニット１１が、その左側部において開閉自在に取付けられている。皿ユニット１１の正面下部には、左側に灰皿１２が、右側に発射ハンドル１３が設けられている。発射ハンドル１３は、球発射装置９から遊技球１００を発射させ、また発射強度を操作するためのハンドルである。球発射装置９は、図３に示すように内枠４正面の左側、具体的には遊技盤１４下部の左側にねじ３７を用いて固定されている。
なお図１中、遊技球１００に付記された矢印は各々遊技球１００の移動方向を例示する。
【００３９】
内枠窓部３には、この窓部３を塞ぐように遊技盤１４が取り付けられている。本実施形態では、遊技盤１４は窓部３に着脱自在に取り付けられている。
すなわち図３に示すように、遊技盤１４の左側部上下位置には、上下方向に貫通する丸穴１５が開けられた軸受部１６が各々側方に突設され、また遊技盤１４の右側部上下位置には、長径方向を上下方向に向け、前後方向に貫通するほぼ楕円形状の固定穴１７が開けられた止め板部１８が各々側方に突設されている。
一方、内枠窓部３の左側部上下位置には、上方向に突出する軸１９が固着された第１支持部２０が各々設けられている。また内枠窓部３の右側部上下位置には、第２支持部２２が各々設けられている。各第２支持部２２は、長径方向を上下方向に向けたほぼ楕円形状のつまみ２１が少なくとも９０度回動自在に取り付けられている。
【００４０】
遊技盤１４の内枠窓部３への取付け（装着）は、次のように行われる。
すなわち、遊技盤１４の左側部の各軸受部１６の丸穴１５を内枠窓部３の左側部の各第１支持部２０の軸１９に挿入する。この状態で遊技盤１４を内枠４側に閉じて行き、遊技盤１４の右側部の各固定穴１７に内枠窓部３の右側部の各第２支持部２２のつまみ２１を挿通する。そして各つまみ２１を、各々固定穴１７から正面側に突出させた状態で時計方向に９０°回すことにより、遊技盤１４が内枠窓部３に取付固定される。
遊技盤１４を内枠窓部３から取り外す手順は、上述取付作業の手順と逆になる。
【００４１】
遊技盤１４の盤面２３には、レール２４がほぼ円形渦巻き状に設けられており、その内側にほぼ円形状の遊技領域２５が設定（形成）されている。
ここで遊技領域２５とは、上記のようにレール２４の内側にほぼ円形状に形成された領域を指すが、より詳しく述べれば、そのほぼ円形状に形成された領域から、盤面２３左側においてレール２４が内外（左右）２重に重なった部分に形成された発射通路２６を除く部分であって、盤面２３とガラス窓部５とに挟まれた空間を指す。図６中の斜線部はこのような遊技領域２５をパチンコ機正面側から示している。
なお、本実施形態では遊技領域２５の外周を仕切る部材が全てレール２４である場合について述べたが、その一部又は全部をレール２４以外の隔壁部材で形成してもよい。
また発射通路２６は、より詳しくは上記のようなレール２４が内外２重に重なった部分を主要部分として、球発射装置９からその主要部分までを繋ぐ部分（始端部分）２６ａを含む。要は、球発射装置９から発射された遊技球１００を遊技領域２５の入口２５ａまで案内する通路全体が発射通路２６である。
【００４２】
このような遊技領域２５の内方（遊技領域２５内）には、以下に述べるように遊技領域構成部材が設けられている。
すなわち、遊技領域２５内のほぼ中央部には、主に特別図柄始動入賞口２８への入賞態様に変化を持たせるためのセンタ役物２７が配設され、このセンタ役物２７の下方に特別図柄始動入賞口２８が配設され、更に下方に大入賞口２９を備える大入賞口ユニット３０が配設され、最下位置にはアウト口３１が設けられている。また遊技領域２５内の左右側端部にはサイド飾り３２，３３が配設されている。
【００４３】
センタ役物２７の左右には普通図柄作動ゲート３４が配設され、この普通図柄作動ゲート３４を遊技球１００が通過すると普通図柄を変動表示する普通図柄表示装置３５が、右側のサイド飾り３３に設けられている。このサイド飾り３３には、普通図柄作動ゲート３４への通過を記憶していることを最大４個まで表示する普通図柄作動記憶表示灯（作動記憶表示灯）３６を備えている。
左側のサイド飾り３２には特別図柄表示装置３８が設けられ、また特別図柄始動入賞口２８への入賞（入球）を記憶していることを最大４個まで表示する特別図柄始動記憶表示灯（始動記憶表示灯）３９を備えている。
遊技領域２５内には、更に一般入賞口４０や、遊技球１００の流下方向を変化させる風車４１等が配設され、また多数の遊技釘４２（一部のみ図示）が打ち込まれている。
【００４４】
なお、パチンコ機正面の四隅、具体的には前扉６の最上部左右側及び外枠２の最下部左右側の各部には、遊技の効果音（音声を含む）を出力するスピーカ４３が取り付けられている。
【００４５】
上記普通図柄表示装置３５は、普通図柄作動ゲート３４への遊技球１００の通過に応じて行われる当たり又は外れの抽選の結果（抽選結果）を、その抽選に応じて行われる普通図柄の変動表示後の停止図柄の種類によって報知する図柄表示装置である。詳細を後述するが、可動片（可動体）４４は、このような普通図柄表示装置３５によって報知する抽選の結果が当たりである場合に、その報知に応じて外側に開く。普通図柄作動ゲート３４を設けない場合に、上記当たり又は外れの抽選を何れかの一般入賞口４０、又は追加される一般入賞口（図示せず）への遊技球１００の入賞によって行うようにしてもよい。
【００４６】
上記特別図柄表示装置３８は、特別図柄始動入賞口２８への遊技球１００の入賞（入球）に応じて行われる大当たり又は外れの抽選の結果（抽選結果）を、その抽選に応じて行われる特別図柄の変動表示後の停止図柄の種類によって報知する図柄表示装置である。大入賞口２９は、このような特別図柄表示装置３８によって報知する抽選の結果が大当たりである場合に、その報知に応じて開放する。この開放は、大入賞口２９の開閉体（可動体）２９ａが開くことにより行われる。
【００４７】
すなわち、特別図柄表示装置３８が表示する特別図柄が、変動後、予め定められた大当たり図柄で停止すると、つまり大当たりになると、大入賞口２９が開放（複数回の間欠的な開放を含む）する。この開放は、一定時間、例えば３０秒間経過するか、遊技球１００が一定個数、例えば１０個、大入賞口２９に入球するまでの何れか早く達した時点まで行われ、また所定の条件を満たして一定回数、例えば１５回まで繰り返され得る。大入賞口２９は、一般入賞口４０に比べて開口幅が広く、遊技球１００が入球し易くなっている。
【００４８】
上記特別図柄始動入賞口２８は、特別図柄表示装置３８における図柄の変動表示を開始させるものであるが、図示例では、可動片４４が起立して遊技球１００の入球が困難な第１状態と、可動片４４が外側に開き入賞口開口が広がって遊技球１００の入球が容易な第２状態とに変化可能な普通電動役物４５によって構成されている。
【００４９】
この普通電動役物４５は、サイド飾り３３に設けられた普通図柄表示装置３５における普通図柄が変動後、予め定められた図柄で停止すると、つまり当たりになると、その可動片４４を入球しやすい第２状態に変化するように構成されている。
なお普通図柄表示装置３５は、例えば７セグメントＬＥＤ表示器を左右に２つ並べて構成され、普通図柄として数字や英字を変動表示する。変動表示後の停止図柄が、予め定められた組合せの数字や英字、例えば「Ｈ、Ｈ」という英字の組合せであった場合に当たりとなる。
【００５０】
特別図柄表示装置３８も、例えば７セグメントＬＥＤ表示器を左右に２つ並べて構成され、特別図柄として数字や英字を変動表示する。変動表示後の停止図柄が、予め定められた組合せの数字や英字、例えば「１、１」、「５、５」、「７、７」という数字の組合せであった場合に大当たりとなる。
ここで、特別図柄変動中においては、特別図柄表示装置３８は特別図柄のみを変動表示させる。すなわち、従来のパチンコ機で特別図柄以外の演出用表示を混合表示するような紛らわしい表示は行わない。
なお、普通図柄表示装置３５及び特別図柄表示装置３８として液晶表示装置（液晶パネル）を用いてもよい。
【００５１】
画像表示装置４６は、遊技領域２５の外方（遊技領域２５外）であって、遊技領域２５正面側から見てその遊技領域２５と重ならない位置に設けられている。
ここで、遊技領域２５正面側から見てその遊技領域２５と重ならない位置とは、大凡、遊技領域２５正面側からその遊技領域２５に向けて平行光を照射した時、画像表示装置４６の影が遊技領域２５上に投影されない位置を指す。遊技者は点（視点）をもって遊技領域２５を見るので、この位置は上記のように大凡のものとなるが、要は、遊技領域２５外であって遊技領域２５の視認性を妨げない位置、つまり遊技者から見て遊技領域２５の全域に亘って隠蔽することのない位置に画像表示装置４６が配設されていればよい。
上記の遊技領域２５外であって、遊技領域２５正面側から見てその遊技領域２５と重ならない位置としては、遊技領域２５の下部、具体的には遊技盤１４下部が選択されている。つまり画像表示装置４６は、遊技盤１４下部に設けられている。
【００５２】
上記のように、画像表示装置４６を遊技盤１４の下部に設けたことによれば、遊技盤１４の下方の何れかの箇所、例えば皿ユニット１１部分あるいはその周辺の隙間からピアノ線等の針金材（図示せず）を挿入し、遊技領域２５内の遊技領域構成部材である入賞口２８，２９，４０や普通図柄作動ゲート３４部分に侵入して行う不正行為を防止できる。ピアノ線等が遊技領域２５内に侵入する初期の段階で、この画像表示装置（主としてこの装置の筐体部分）４６が遊技領域２５内への侵入の防護壁として作用するからである。
特に、ピアノ線等による代表的な不正行為である、可動体（開閉体２９ａ，可動片４４）を備える入賞口（大入賞口２９，特別図柄始動入賞口２８）に対する同可動体への不正操作の防止が有効に行える。
【００５３】
また画像表示装置４６は、発射通路２６の始端部分２６ａの側方、具体的には右側に配設されている。これによれば、発射通路２６（始端部分２６ａ）の存在が画像表示装置４６のパチンコ機正背面方向の配置位置の設定を制限することがない。したがって、遊技盤１４の盤面２３とほぼ同一面上に画像表示装置４６の表示画面４７を位置させることが可能となり、また、パチンコ機正背面方向の寸法（パチンコ機の厚み）の増大を抑えることができる。
【００５４】
本実施形態では、画像表示装置４６は、遊技盤１４とは一体的に形成されてなく、構造上において完全に分離された別個独立のパチンコ機構造部材である内枠４の窓部３の下部に設けられている。画像表示装置４６は、その表示画面４７をパチンコ機正面側に臨ませて、つまり遊技者から表示画面４７が見えるように設けられていることは勿論である。
画像表示装置４６を、遊技盤１４とは別個独立の内枠４に設けたことによれば、遊技盤１４の交換、廃棄時等において画像表示装置４６は何ら拘束されなくなる。つまり、相互に自由に交換、廃棄等することが可能となる。特に遊技盤１４の交換時において、画像表示装置４６を内枠４に取り付けた状態にしておけば、この画像表示装置４６の再利用が可能となり、遊技盤１４の交換（パチンコ機入替え）コストが低減される。
【００５５】
この画像表示装置４６は、内枠４へは以下に述べる正面作業形取付構造１０１を用いてパチンコ機正面側から取付固定される。
すなわち、図３に示すように、画像表示装置４６の正面側の左右両側には、各々長径方向を上下方向に向け、前後方向に貫通するほぼ楕円形状の取付穴４８が開けられた突片４９が設けられている。
一方、内枠４の画像表示装置４６取付位置には填込み窓５０が穿設されると共に、この填込み窓５０の左右端近傍の内枠４正面側には、各々長径方向を上下方向に向けたほぼ楕円形状のつまみ５１が少なくとも９０度回動自在に取り付けられている。
【００５６】
そしてパチンコ機正面側から、上記各突片４９に開けられた取付穴４８に、内枠４に取り付けられた各つまみ５１を挿通し、各々取付穴４８から正面側に突出させた状態で時計方向に９０°回すことにより、画像表示装置４６が内枠４に取付固定される。
画像表示装置４６を内枠４から取り外す手順は、上述取付作業の手順と逆になる。この画像表示装置４６の取外しもパチンコ機正面側から行える。
【００５７】
このように、取付穴４８が開けられた突片４９と、つまみ５１と、填込み窓５０とを備えた正面作業形取付構造１０１によれば、内枠４へのパチンコ機正面側からの作業でその画像表示装置４６の取付固定が可能となり、画像表示装置４６取付後、つまりパチンコ機設置後における画像表示装置４６の保守、交換等の作業が簡単になる。
【００５８】
なお前扉６の、画像表示装置４６の表示画面４７に対応する位置には、同表示画面４７をパチンコ機正面側に臨ませる表示窓６ａが穿設されている。
図１に示すように、前扉６を閉じたとき、上記表示画面４７が、表示窓６ａを介して各々パチンコ機正面に臨み、表示画面４７に表示される画像、図柄を遊技者が見ることができるように構成されている。
【００５９】
また画像表示装置４６は、上述したように、その表示画面４７を盤面２３とほぼ同一面上に位置させたことから、その背面側に若干突出する。一方、遊技盤１４の背面には、遊技領域２５内に設けられた入賞口２８，２９，４０及びアウト口３１に入球した遊技球１００を下方に排出するための球排出通路体を設ける必要がある。そこで本実施形態では、上記球排出通路体を、図４中に符号５９を付して示すように、画像表示装置４６の背面側を通って下方に延出するように形成している。
このように形成された球排出通路体５９によれば、上記のように画像表示装置４６を遊技領域２５の下部に設けたことと相俟って、ピアノ線等の針金材の挿入による不正行為をより効果的に防止することができる。
なお図４では、球排出通路体５９を、画像表示装置４６の上面部分を境界として、上通路体５９ａと下通路体５９ｂとに分割した構成例を示している。この場合、上通路体５９ａの下端部分は、画像表示装置４６の上面に沿って背面側（図４の図示面の手前方向）に折り曲げられた後、下方に開口し、下通路体５９ｂの上端開口部と連通するように構成されている。
【００６０】
図示省略したが、球排出通路体５９を、画像表示装置４６の側方、図４を用いて説明すれば画像表示装置４６の図中、右側、を通って下方に延出するように形成してもよく、これによれば、画像表示装置４６の背面側を通る例に比べて、パチンコ機正背面方向の寸法（パチンコ機の厚み）を小さくすることができる。
【００６１】
球タンク５６は、払出し用の遊技球（賞球）を一定量貯留しておくタンクである。その他、図４において、５７は球払出装置、５８は球払出通路体であり、図１に示す入賞口２８，２９，４０への入賞があると、球払出装置５７が作動し、球タンク５６内の遊技球（賞球）が、球払出通路体５８及び賞球払出口８を通して球皿１０に払い出される。
【００６２】
図１に戻って説明すると、画像表示装置４６は、遊技に係る任意の演出用画像（デモ図柄画像）及びこの画像以外の任意に設定された画像の表示が可能である。
具体的には、特別図柄や普通図柄と同内容、つまり同一の数字や英字等の図柄画像を、それら特別図柄や普通図柄とは異なる形態（大きさ、デザイン等）で表示したり、特別図柄や普通図柄の変動表示に合わせて種々の図柄画像を表示可能である。また本来、特別図柄や普通図柄の停止図柄で知らせる上記大当たりや当たりを、それらに対応する図柄画像を用いず、任意の画像で報知することも可能である。
またこの画像表示装置４６は、特別図柄や普通図柄が変動したとき、それらの停止図柄が大当たりや当たりとなるか否かの予告を報知する画像等、種々の遊技に係る演出用画像を表示可能である。
画像表示装置４６は、以上のような遊技に係る演出用画像の他、遊技中でないときの客寄せ用の画像等、遊技に係る演出用画像以外の任意に設定された画像も表示可能である。
【００６３】
本実施形態の画像表示装置４６は、表示画面４７を１つの大形液晶パネルによって形成したもので、図１に示すように、左右方向に３つの表示領域５２，５３，５４を並べた横長の矩形状をなし、各表示領域５２，５３，５４に各々図柄画像等の種々の画像（静止画像あるいは動画像）を個別に表示することが可能である。また各表示領域５２，５３，５４に跨った、最大で表示画面４７全体を１つの表示領域とする種々の図柄画像や、図柄画像以外の種々の静止画像あるいは動画像も表示可能である。
なお、画像表示装置４６として、複数、例えば３つの別個独立の小形液晶パネルを横方向に連結し、上記大形液晶パネルの全表示領域５２〜５４に相当する１つの表示領域を形成するように組合せた３つの液晶表示装置を用いてもよい。
【００６４】
本実施形態のパチンコ機１は、球発射装置９を遊技盤１４の左側下方に設けて遊技球１００を上方に発射する機種であり、発射通路２６が下方においては正面左側に寄っているため、発射通路２６の正面右側のスペースを広くとることができ、上記大形液晶パネルからなる画像表示装置４６を配置するのに好適である。
球発射装置９へは、上記皿ユニット１１の球皿１０に貯留された遊技球１００が一列に整列されて１個ずつ供給される。球発射装置９へ供給された遊技球１００は、遊技者による発射ハンドル１３の時計回り方向の回動操作によって球発射装置９から打ち出され、発射通路２６（レール２４）に案内されて発射通路出口５５から遊技領域２５内に送り込まれる。
遊技領域２５内に送り込まれた遊技球１００は、その遊技領域２５内において遊技釘４２、風車４１等の障害物に衝突しながら、あるいは普通図柄作動ゲート３４を通過しながら流下し、その途中において一般入賞口４０、特別図柄始動入賞口２８あるいは大入賞口２９に入賞し、入賞しなかった遊技球１００は最終的にアウト口３１に入球する。
【００６５】
遊技球１００の入賞が、一般入賞口４０や特別図柄始動入賞口２８か、あるいは大入賞口２９かによって球皿１０に払い出される賞球数が異なる。例えば、一般入賞口４０や特別図柄始動入賞口２８に入賞すれば５個、大入賞口２９に入賞すれば１５個というように設定されており、払い出される賞球数は大入賞口２９に入賞する方が多い。
普通図柄作動ゲート３４への遊技球１００の通過によっては賞球は払い出されないが、普通図柄表示装置３５における普通図柄を変動表示させる。普通図柄の停止図柄が当たりであれば、普通電動役物４５は可動片４４を入球しやすい第２状態に変化させる。
普通図柄を変動表示中に、普通図柄作動ゲート３４への遊技球１００の通過があると、この通過が最大で４個まで記憶（普通図柄作動記憶）され、記憶数分の作動記憶表示灯３６が点灯される。この普通図柄の変動表示が終了したとき、普通図柄作動記憶があれば、再び普通図柄の変動表示を行い、その開始又は終了毎に１個の作動記憶表示灯３６を消灯する。
【００６６】
可動片４４が、第２状態にあるか第１状態にあるかに拘わらず、遊技球１００が特別図柄始動入賞口２８に入賞すると、特別図柄表示装置３８において特別図柄の変動表示を開始する。変動開始後、所定時間が経過して特別図柄が停止したときの図柄（停止図柄）が大当たりであれば、大入賞口２９を開放させる。大入賞口２９は開口幅が広く、また所定の条件を満たせば最高１５回までというように、複数回繰り返され得るので、この間に得られる賞球数は大当たりにならなかった場合に比べて著しく多くなる。
特別図柄を変動表示中に、特別図柄始動入賞口２８への遊技球１００の入賞があると、この入賞が最大で４個まで記憶（特別図柄始動記憶）され、記憶数分の始動記憶表示灯３９が点灯される。この特別図柄の変動表示が終了したとき、特別図柄作動記憶があれば、再び特別図柄の変動表示を行い、その開始又は終了毎に１個の始動記憶表示灯３９を消灯する。
【００６７】
普通図柄や特別図柄の変動表示中、特に特別図柄の変動表示中、画像表示装置４６は、その特別図柄に任意に対応づけられた図柄画像を変動表示する。また、特別図柄停止時には、その停止図柄に任意に対応づけられた図柄画像、例えば特別図柄の停止図柄が「７、７」という組合せ図柄であれば、これに対応づけられた「７、７、７」という組合せの図柄画像（図１に示すように３つの表示領域５２，５３，５４に数字「７」が並ぶ図柄画像）を表示する。
特別図柄「７」に、例えばバナナの図柄画像を対応させてもよく、この場合は、「７、７」という組合せ図柄に対して、バナナの図柄画像が表示領域５２，５３，５４に各々表示される。ここで特別図柄が２桁であれば、その組合せが明瞭であり、大当たりか否かが瞬時に判定できると共に、任意に対応づけられた図柄が３桁であれば、リーチ等の表現のときの興趣を増すことができる。このように特別図柄を簡略表示し、対応図柄を表現豊かにすれば、遊技者にとって分かりやすくなり、かつ楽しさも増大し得る。
【００６８】
特別図柄表示装置３８をパチンコ機１の何れの箇所にも設けない場合には、画像表示装置４６は、特別図柄やこれに対応づけられて組み合わされた図柄画像を表示領域５２〜５４に表示する。具体的には、表示領域５４の図中、右下隅部等に特別図柄としての図柄画像を小さく２つ横方向に並べて変動あるいは停止表示し、表示領域５２，５３，５４の各中央部に特別図柄に任意に対応づけられた図柄画像を変動あるいは停止表示する。
【００６９】
またこの画像表示装置４６は、特別図柄や普通図柄が変動したとき、それらの停止図柄が当たりや大当たりとなることを報知する予告画像、例えば大当たりになる予告をするために、特別図柄変動中に一時的にアニメーション画像を表示させてもよい。特別図柄や普通図柄の変動中以外には、種々の動画像を表示して遊技の演出効果を高めることも可能である。例えば、球発射装置９が一定時間動作していない状態であって、その間、特別図柄や普通図柄も変動表示されていないときに遊技中でないとみなし、客寄せ用の種々の画像を表示することも可能である。
特別図柄表示装置３８をパチンコ機１の何れの箇所にも設けない場合には、上記予告画像（アニメーション画像）、演出効果を高める動画像、あるいは客寄せ用の画像等は画像表示装置４６によって表示可能とされる。
【００７０】
なお、球発射装置９、普通図柄表示装置３５、特別図柄表示装置３８、画像表示装置４６、普通電動役物４５、作動記憶表示灯３６及び始動記憶表示灯３９等のパチンコ機１を構成する各部は後述する主制御装置によって制御される。
また、大入賞口２９の開放に係る大当たり又は外れの抽選や特別図柄始動入賞口２８の可動片４４（普通電動役物４５）の開放にかかる当たり又は外れの抽選も、上記制御手段によって行われる。
普通図柄表示装置３５、特別図柄表示装置３８及び画像表示装置４６としては、それらの構成要素として、少なくとも表示画面を含む部分が筐体等に納められ、コンパクトにユニット化されているときは、そのユニット化されている部分（表示パネルあるいはこの表示パネルに若干の回路を加えてなる表示器等）であってもよい。
【００７１】
本実施形態における図柄、画像の制御に係るブロック図を図７に例示する。
この図において、７１は主制御装置である。この主制御装置７１は、上記特別図柄始動入賞口２８への遊技球１００の入賞を検出する特別図柄始動スイッチ７２からの始動口入賞検出信号を受けて、あるいは上記普通図柄作動ゲート３４への遊技球１００の通過を検出する普通図柄始動スイッチ７３からのゲート通過検出信号を受けて、上記特別図柄表示装置３８あるいは普通図柄表示装置３５を制御し、上述した図柄表示（変動あるいは停止表示）を行う。
また主制御装置７１は、上記特別図柄始動記憶表示灯３９や普通図柄作動記憶表示灯３６の点消灯を直接制御する。
特別図柄や普通図柄の変動表示に合わせ、遊技の結果を遊技者の興趣を高めるように様々な形態で演出する画像や、全く図柄を用いない抽選結果の報知を様々な形態で行う画像等を表示する上記画像表示装置４６は、主制御装置７１から指令される通信コマンドにより一連の制御を行う。
更に主制御装置７１は、上記大入賞口２９を開閉する特別電動役物ソレノイド７４及び上記普通電動役物４５（可動片４４）を開閉する普通電動役物ソレノイド７５を直接ＯＮ／ＯＦＦ制御する。
なお、画像表示装置４６は遊技領域２５外に設けられ、特別図柄表示装置３８、普通図柄表示装置３５、特別図柄始動記憶表示灯３９及び普通図柄作動記憶表示灯３６は、いずれも遊技領域２５内に設けられていることは上述し、また図１に示した通りである。
主制御装置７１は、図示以外のパチンコ機各部も制御することにより、遊技全体を統括制御する。
【００７２】
以上述べた実施形態によれば、遊技領域２５内に設けられた特別図柄表示装置３８の表示図柄に応じた図柄画像、及びこれ以外の種々の画像も表示可能な画像表示装置４６を、遊技領域２５外であって、遊技領域２５正面側から見てその遊技領域２５と重ならない位置に設けた。
これによれば、従来技術において遊技領域２５内のほぼ中央部に配置した大形の画像表示装置が遊技領域２５内からなくなり、遊技等に必要な画像表示において、遊技領域２５内の遊技釘数や遊技球通路の設計の自由度を減少させずに表示画像の視認性やゲーム性を向上させ得る。遊技盤１４への上記大形の画像表示装置の取付穴の穴開け作業も不要となる。
【００７３】
遊技釘数や遊技球通路の設計の自由度について述べると、上述実施形態によれば、特別図柄表示装置３８が小形化できる分だけ、あるいは遊技領域２５からなくなる分だけ、自由設計領域が広くなり、遊技釘数や遊技球通路の設計の自由度が増大する。あるいは、遊技領域２５における遊技釘数や遊技球通路の自由設計領域を特に広げる必要がなければ、遊技領域２５全体の広さ、換言すれば遊技盤１４の大きさを小さく、したがってまた軽く、製作することが可能となる。つまり遊技盤１４の生産性が向上し、また製作された遊技盤１４の保管や搬送が簡単、更には遊技盤１４の取付や交換作業も簡単になる。
【００７４】
また画像表示装置４６を、遊技領域２５正面側から見てその遊技領域２５と重ならない位置に設けたので、遊技者から見て遊技領域２５の一部が隠蔽されることがなく（遊技領域２５全域に亘って視認性が高く）、画像表示装置４６の存在が遊技の邪魔をしたり、遊技球１００の動きに疑いを生じさせることもなくなる。
更に、画像表示装置４６のパチンコ機左右方向の大画面化が遊技領域２５幅近くまで可能となり、この画像表示装置４６による表示画像の視認性は勿論のこと、表示画像の迫力等、演出効果も高めることも可能である。
【００７５】
また特別図柄表示装置３８は、特別図柄の変動表示及びその後の停止図柄の表示を大当たり又は外れの抽選が行われる毎に必ず行うので、大当たりか外れかを遊技者に分かりやすく報知できる。
加えて、特別図柄変動中においては、特別図柄表示装置３８は特別図柄のみを変動表示させる。すなわち、従来のパチンコ機で特別図柄以外の演出用表示を混合表示するような紛らわしい表示は行わないため、遊技者の疑念を招かずに済む。
更にまた、遊技盤１４、画像表示装置４６共に着脱自在に構成されており、何れもリサイクル可能であるという利点もある。
【００７６】
なお、上述第１実施形態中の例では、図３から分かるように、画像表示装置４６と内枠４との間に正面作業形取付構造１０１を設け、画像表示装置４６を、内枠４にパチンコ機正面側から取付固定するように構成したが、これのみに限らない。例えば図８に示すように、画像表示装置４６と内枠４との間に背面作業形取付構造１０２を設け、画像表示装置４６を、内枠４にパチンコ機背面側から取付固定するように構成してもよい。背面作業形取付構造１０２は、図示例ではねじ挿通穴５７付きの突片５６と、ねじ６０と、填込み窓５０とを備えたねじ止め構造となっている。
すなわち、画像表示装置４６左右両側の背面側端部には、各々前後方向に貫通するねじ挿通穴５７付きの突片５６が設けられている。また、内枠４の画像表示装置４６に対応する位置には、画像表示装置４６の填込み窓５０が穿設されている。この填込み窓５０については正面作業形取付構造１０１と同様である。
【００７７】
この構成において、画像表示装置４６の正面側部分を内枠４背面側から填込み窓５０に挿入し、突片５６の前面を内枠４の背面に当接させる。この状態でねじ６０を、突片５６後面側からねじ挿通穴５７を通して内枠４に螺入する。これにより、画像表示装置４６は、その表示画面４７がパチンコ機正面側に臨むように内枠４に取付固定される。
この背面作業形取付構造１０２によれば、内枠４へのパチンコ機背面側からの作業で画像表示装置４６の取付固定が可能となり、その内枠４背面ヘの取付部品の１つとして、他の背面取付部品と共に簡単に、つまり作業者の姿勢や組立中のパチンコ機構造部材の位置や向きを変えずに、画像表示装置４６の取付固定が可能となる。
【００７８】
また、上述第１実施形態中の例では、図１から分かるように、遊技盤１４及び画像表示装置４６の各正面側が共通の、ここでは１枚の前扉６（図５参照）によって開閉される構成としたが、これ以外の構成であってもよい。例えば、図９に示すように、前扉６１を、上前扉６１ａと下前扉６１ｂに分離して構成し、遊技盤１４の正面側が上前扉６１ａによって、画像表示装置４６の正面側が下前扉６１ｂによって、各々開閉される構成としてもよい。
共通の前扉６とした場合には、前扉６を構成する各部材、特にガラス窓部（ガラス板）５は一組、例えば１枚で済むという利点があるが、上前扉６１ａと下前扉６１ｂに分離して構成した場合には次のような利点がある。
すなわち、上，下前扉６１ａ，６１ｂのうち一方の扉６１ａ又は６１ｂが開放されるとき、他方の扉６１ｂ又は６１ａは閉じたままとなって、その扉６１ｂ又は６１ａによって画像表示装置４６又は遊技盤１４が保護される。例えば、盤面２３上で球詰まり等が生じ、その対処をする場合に上前扉６１ａのみを開ければよく、この間、画像表示装置４６は下前扉６１ｂによって保護され続ける。
また、各扉６１ａ，６１ｂの重量が軽くなり、各扉６１ａ，６１ｂの開閉の頻度も少なくなり、したがって各扉６１ａ，６１ｂを開閉可能に支持するヒンジ等の負担が減少する。更に、各扉６１ａ，６１ｂは小型化されるので、上記重量の軽減と相俟って扉６１ａ，６１ｂの生産性が向上するという利点がある。
図９に示す例において、皿ユニット１１は下前扉６１ｂの開放時のみ、開放可能に構成されている。なお、共通の前扉６とした上述実施形態（図１、図５参照）においては、皿ユニット１１は共通の前扉６の開放時のみ、開放可能に構成されている。
【００７９】
図１０は本発明によるパチンコ機の第２実施形態を示す正面図、図１１は図１０に示すパチンコ機中の内枠部分を取り出して示す正面図、図１２は図１１における内枠への遊技盤及び画像表示装置の取付けを説明するための図、図１３は図１０中の画像表示装置の取付け位置をパチンコ機背面側から概略的に示す図、図１４は図１０中の外枠、内枠、前扉及び皿ユニットの取付け位置関係を概略的に示す斜視図である。
これら各図において、図１〜図５と同一又は相当部分に同一符号を付して説明すると、画像表示装置４６は、この第２実施形態では発射通路２６の配置面位置よりもパチンコ機正面側に寄った位置に配設されている。図１１において、発射通路２６の始端部分２６ａの大部分が画像表示装置４６によって遮られているのはこのことを表している。
画像表示装置４６を上記のようにパチンコ機正面側に寄った位置に配設する手段としては、ここでは内枠４の正面に固着された左右一対の台６２を用いる例を示している。つまり画像表示装置４６は、左右一対の台６２を各々介して内枠４正面側に設けられている（図１２及び図１４参照）。
【００８０】
このように構成すると、画像表示装置４６の左右方向寸法の拡大に当たり、発射通路２６（始端部分２６ａ）の存在が障害とならず、画像表示装置４６の左右方向寸法の自由度が増す。特に、画像表示装置４６のパチンコ機左右方向の大画面化も、最大で、パチンコ機左右方向寸法近くまで可能となり、この画像表示装置４６による表示画像の視認性は勿論のこと、表示画像の迫力等、演出効果も高めることも可能になる。更には、表示画面４７が表示窓６ａを介し、遊技者に最も近接した形態となり、視認性及び演出効果を一層高めることになる。
このような第２実施形態においても、図１３に示すように、球排出通路体５９は、画像表示装置４６の背面側を通るが、第２実施形態ではこの画像表示装置４６の背面側はパチンコ機背面側に突出していない。また、填込み窓５０は不要となる。したがって第２実施形態における球排出通路体５９は、第１実施形態（図４）の場合とは異なり、上通路体から下通路体へは折り曲げられることなく真っ直ぐ（鉛直）に延出形成すればよい。
【００８１】
なお画像表示装置４６を、左右一対のスピーカ４３を一体に取り付けて構成してもよい。図１５は、このような画像表示装置４６の一例を示す分解斜視図であり、画像表示装置４６は、表示装置本体４６ａ及びスピーカ４３と、これらを収納、保持する筐体４６ｂとからなる。図１５に示すように、筐体４６ｂへの表示装置本体４６ａ及びスピーカ４３の取付けは、筐体４６ｂに形成された収容部４６ｃ，４６ｄに表示装置本体４６ａ、スピーカ４３を収容した後、ねじ６３を用いて行われている。
このような画像表示装置４６によれば、前扉６の最上部左右側又は外枠２の最下部左右側のスピーカ４３を省略できると共に、部品点数の低減が図れ、また画像表示装置４６の取付けによってスピーカ４３も同時に取り付けられることになり、組立て作業性が向上する。
【図面の簡単な説明】
【００８２】
【図１】本発明によるパチンコ機の第１実施形態を示す正面図である。
【図２】図１に示すパチンコ機中の内枠部分を取り出して示す正面図である。
【図３】図２における内枠への遊技盤及び画像表示装置の取付けを説明するための図である。
【図４】図１中の画像表示装置の取付け位置をパチンコ機背面側から概略的に示す図である。
【図５】図１中の外枠、内枠、前扉及び皿ユニットの取付け位置関係を概略的に示す斜視図である。
【図６】図１に示すパチンコ機の遊技領域の説明図である。
【図７】本発明によるパチンコ機における図柄、画像の制御に係るブロック図である。
【図８】同上パチンコ機の他の実施形態を説明するための、パチンコ機背面側からの斜視図である。
【図９】同上パチンコ機の前扉を分離構成した例を概略的に示す斜視図である。
【図１０】本発明によるパチンコ機の第２実施形態を示す正面図である。
【図１１】図１０に示すパチンコ機中の内枠部分を取り出して示す正面図である。
【図１２】図１１における内枠への遊技盤及び画像表示装置の取付けを説明するための図である。
【図１３】図１０中の画像表示装置の取付け位置をパチンコ機背面側から概略的に示す図である。
【図１４】図１０中の外枠、内枠、前扉及び皿ユニットの取付け位置関係を概略的に示す斜視図である。
【図１５】スピーカを一体に取り付けた画像表示装置の一例を示す分解斜視図である。
【符号の説明】
【００８３】
１：パチンコ機、２：外枠、４：内枠、６：前扉、１４：遊技盤、２３：盤面、２５：遊技領域、２８：特別図柄始動入賞口、２９：大入賞口、３８：特別図柄表示装置、４６：画像表示装置、５９：球排出通路体、６１ａ：上前扉、６１ｂ：下前扉、１００：遊技球。
【図１】
2006158533.tif 000003
【図２】
2006158533.tif 000004
【図３】
2006158533.tif 000005
【図４】
2006158533.tif 000006
【図５】
2006158533.tif 000007
【図６】
2006158533.tif 000008
【図７】
2006158533.tif 000009
【図８】
2006158533.tif 000010
【図９】
2006158533.tif 000011
【図１０】
2006158533.tif 000012
【図１１】
2006158533.tif 000013
【図１２】
2006158533.tif 000014
【図１３】
2006158533.tif 000015
【図１４】
2006158533.tif 000016
【図１５】
2006158533.tif 000017